(57)【特許請求の範囲】
【請求項１】
冷水タンクに形成された開口部に連通して冷水取り出し用の冷水注出配管が設けられるとともに、その先端に冷水注出弁が設けられている飲料水サーバにおいて、
前記開口部が前記冷水タンクの底面に形成され、この開口部に連通する前記冷水注出配管が曲折部を介して水平又は斜め下向きに直線状に配設されるとともに、前記冷水注出弁の弁体として前記冷水注出配管の先端を塞ぐ隔膜式の弁体が用いられ、
前記冷水タンク内に紫外線を照射する紫外線照射手段が、前記冷水タンク内から前記開口部を通って前記曲折部の底部に達するように配設されることにより前記冷水注出弁の弁体とも対面するように構成されていることを特徴とする飲料水サーバ。
【請求項２】
前記紫外線照射手段は棒状の紫外線ランプで構成され、前記曲折部の底部に紫外線ランプ挿入口が設けられていることを特徴とする請求項１に記載の飲料水サーバ。
【請求項３】
前記隔膜式の弁体は、少なくとも前記紫外線照射手段と対面する部分が耐紫外線性を有することを特徴とする請求項１または２に記載の飲料水サーバ。
【発明の詳細な説明】
【技術分野】
【０００１】
この発明は飲料水サーバに関し、より詳細には、交換可能に取り付けられたウォーターボトルから供給される飲料水を、加熱又は冷却して注出口から取り出し可能に構成してなる飲料水サーバに関する。
【背景技術】
【０００２】
図４は、従来の飲料水サーバの概略構成を示している。図示のように、この種の飲料水サーバは、飲料水が充填されたウォーターボトルａから供給される飲料水を、加熱装置ｈを備えた温水タンクｂと冷却装置（図示せず）を備えた冷水タンクｃとに貯留するように構成され、これら各タンクのそれぞれに飲料水を取り出すための注出管ｄ，ｅが接続され、各注出管ｄ，ｅの先端に注出弁ｆ，ｇが設けられている。
【０００３】
ところで、このようにタンクｂ，ｃ内に飲料水を貯留する構成を採用する場合、タンクｂ，ｃ内で雑菌が繁殖するのを防止する必要があることから、この種の飲料水サーバにおいては、図示のように、ウォーターボトルａから供給される飲料水を飲料水供給管ｉを通じて一旦温水タンクｂに落とし込み、該温水タンクｂ内で熱殺菌を行ってから第２の飲料水供給管ｊを通じて冷水タンクｃに供給することが提案されている（特許文献１参照）。
【０００４】
しかし、このように冷水タンクｃに供給する飲料水に対して熱殺菌を行う場合であっても冷水タンクｃ内で雑菌が繁殖することがある。そのため、従来の飲料水サーバにおいては、冷水タンクｃ内に紫外線を照射する紫外線ランプｋを設けて冷水タンクｃ内の殺菌を行うものが提案されている（特許文献２参照）。またこの他、冷水タンクｃ内ではなく、冷水取り出し用の注出弁ｇの直近（注出管ｅ内）に紫外線ランプを設けたものが提案されている（特許文献３参照）。
【特許文献１】特開２００６−３４７５５６号公報
【特許文献２】特開２００６−６２７２０号公報
【特許文献２】特開２０００−１２８２９２号公報
【発明の開示】
【発明が解決しようとする課題】
【０００５】
しかしながら、このような従来の構成においては以下の問題があり、その改善が望まれていた。
【０００６】
すなわち、冷水取り出し用の注出弁ｇの直近に紫外線ランプを設ける構成では冷水タンクｃ内で雑菌が繁殖してタンク内がぬめってしまうという問題がある。また、紫外線ランプを冷水タンクｃ内に設ける構成では冷水の注出管ｅ内に紫外線が照射されないために注出管ｅ内で雑菌が繁殖するという問題がある。
【０００７】
さらに、従来の飲料水サーバにおいて注出弁ｇとして使用される電磁弁は、図５に示すように、弁体ｍを注出管ｅ内の水圧を利用して閉止させる構造であるため、弁体ｍを閉止状態としていると、該弁体ｍの背部ｎに多くの水が回りこんで滞留する。そのため、この弁体ｍの背部ｎに雑菌が繁殖し易いという問題がある。
【０００８】
本発明は、このような問題点に鑑みてなされたものであって、その目的とするところは、飲料水サーバにおける冷水タンクや冷水の注出管さらには注出弁内での雑菌の発生を抑制し得る構造を備えた飲料水サーバを提供することにある。
【課題を解決するための手段】
【０００９】
上記目的を達成するため、本発明の請求項１に係る飲料水サーバは、冷水タンクに形成された開口部に連通して冷水取り出し用の冷水注出配管が設けられるとともに、その先端に冷水注出弁が設けられている飲料水サーバにおいて、上記開口部が上記冷水タンクの底面に形成され、この開口部に連通する上記冷水注出配管が曲折部を介して水平又は斜め下向きに直線状に配設されるとともに、上記冷水注出弁の弁体として上記冷水注出配管の先端を塞ぐ隔膜式の弁体が用いられ、上記冷水タンク内に紫外線を照射する紫外線照射手段が、上記冷水タンク内から上記開口部を通って上記曲折部の底部に達するように配設されることにより上記冷水注出弁の弁体とも対面するように構成されていることを特徴とする。
【００１０】
すなわち、この請求項１の発明では、冷水タンクに形成された開口部に連通して冷水取り出し用の冷水注出配管が設けられるとともに、その先端に冷水注出弁が設けられている飲料水サーバにおいて、上記開口部が上記冷水タンクの底面に形成される。そして、この開口部に連通する上記冷水注出配管が曲折部を介して水平又は斜め下向きに直線状に配設されるとともに、上記冷水注出弁の弁体として上記冷水注出配管の先端を塞ぐ隔膜式の弁体が用いられる。そして、上記冷水タンク内に紫外線を照射する紫外線照射手段が、上記冷水タンク内から上記開口部を通って上記曲折部の底部に達するように配設されることにより上記冷水注出弁の弁体とも対面するように構成されることから、紫外線照射手段によって冷水タンク内と冷水注出配管の管路内との双方に紫外線が照射されるので、冷水タンク内と管路内の双方での雑菌の発生を一の紫外線照射手段によって抑制することができる。しかも、冷水注出弁の弁体として上記冷水注出配管の先端を塞ぐ隔膜式の弁体（ダイヤフラム）が用いられるので、従来の飲料水サーバにおけるように弁体の背部に水が滞留しないので、冷水注出弁においても雑菌が発生するのを抑制することができる。
【００１３】
また、本発明の請求項２に係る飲料水サーバは、請求項１に記載の飲料水サーバにおいて、上記紫外線照射手段は棒状の紫外線ランプで構成され、上記曲折部の底部に紫外線ランプ挿入口が設けられていることを特徴とする。
【００１４】
すなわち、この請求項２の発明では、冷水注出配管の曲折部の底部に形成された紫外線ランプ挿入口から棒状の紫外線ランプを差し込むことにより、紫外線ランプの装着ならびに交換ができるので紫外線ランプの装着・交換を容易に行うことができる。特に、この種の飲料水サーバにおいては、冷水タンクの下方に温水タンクが配設される構造が好適に採用されるので、冷水タンクの底面と飲料水サーバが設置される床面との間には少なくとも温水タンクの高さ分の間隔が形成されるので、無理な姿勢をとることなく紫外線ランプの交換ができ、交換作業を容易に行うことができる。なお、ここで棒状の紫外線ランプとは、いわゆる直管型の紫外線ランプはもちろんのこと、棒状に形成されたＵ字管型の紫外線ランプなども含む意である。
【００１７】
また、本発明の請求項３に係る飲料水サーバは、請求項１または２に記載の飲料水サーバにおいて、上記隔膜式の弁体は、少なくとも上記紫外線照射手段と対面する部分が耐紫外線性を有することを特徴とする。
【００１８】
すなわち、この請求項３の発明では、隔膜式の弁体のうちの少なくとも紫外線照射手段と対面する部分が耐紫外線性を有することから、紫外線の照射による弁体の劣化によって冷水注出弁が故障するのを長期間にわたって防止できる。
【発明の効果】
【００１９】
本発明によれば、冷水タンク内と冷水注出配管の管路内の双方に対して一の紫外線照射手段によって同時に紫外線を照射できるので、冷水タンク内と冷水注出配管の管路内の双方について経済的にかつ効率よく雑菌の発生を抑制できる。しかも、冷水注出弁の弁体の背部に水が滞留しないので、冷水注出弁においても雑菌の発生が抑制される。そのため、コストの低減と衛生的な飲料水の提供とを両立した飲料水サーバを提供することができる。
【００２０】
また、上記隔膜式の弁体を上記紫外線照射手段に対面するように配設することにより、紫外線照射手段から冷水注出弁に至るまでの冷水注出配管内に紫外線が当たらない死角が生じず、これらの間における雑菌の発生を確実に防止できる。
【発明を実施するための最良の形態】
【００２１】
以下、本発明の実施形態を図面に基づいて詳細に説明する。
図１に本発明に係る飲料水サーバの概略構成の一例を示す。本発明の飲料水サーバは、一の紫外線照射手段を用いて冷水タンクと冷水の取り出し経路の双方の殺菌を行えるように構成してなる飲料水サーバであって、図示のように、ウォーターボトル１と、冷水タンク２と、温水タンク３と、制御部（制御手段）４と、紫外線ランプ（紫外線照射手段）８とを主要部として備えている。
【００２２】
ウォーターボトル１は、飲料水サーバに供給する飲料水が充填された交換可能な容器として提供される。このウォーターボトル１には、内部に充填された飲料水を飲料水サーバに供給するための注出口１ａが胴体部１ｂから突出して設けられており、飲料水サーバへの取り付け前においてはこの注出口１ａがキャップなどで密封されている。つまり、このウォーターボトル１は、内部に充填された飲料水が雑菌などで汚染されない状態で提供される。そして、飲料水サーバへの取り付けにあたっては、上記注出口１ａの密封を解いて、この注出口１ａが下向きとなるように飲料水サーバの所定位置（具体的には、後述する冷水タンク２の凹陥部２ａ）に装着される。
【００２３】
冷水タンク２は、ウォーターボトル１の取り付けが可能なように上部に凹陥部２ａが形成された金属製のタンクで構成される。この凹陥部２ａの底面には、ウォーターボトル１から供給される飲料水を上記温水タンク３に供給するための飲料水供給管１２の一端が設けられている（詳細は後述する）。
【００２４】
この冷水タンク２には、図外のコンプレッサから供給される冷媒によってタンク内の飲料水を冷却する冷却装置（図示せず）が備えられている。この冷却装置は上記制御部４によって制御される。すなわち、制御部４は、冷水タンク２内の飲料水の温度を測定する温度センサ（図示せず）から得られる温度検出信号に基づいて、冷水タンク２内の飲料水の温度が所定の設定温度となるように冷却装置の運転を制御するように構成されている。なお、この冷水タンク２は、冷却装置によって冷却された飲料水が外気の温度によって上昇しないように、その周囲を断熱材（図示せず）で被覆するなどの保温処理が施される。
【００２５】
冷水タンク２の内部の上方には、後述する第２の飲料水供給管１３から供給される高温の飲料水がタンク内の低温の飲料水（冷却装置で冷却された飲料水）と直接混ざり合わないようにバッフルプレート５が配設されており、上記第２の飲料水供給管１３から供給された飲料水はこのバッフルプレート５に設けられる貫通孔（図示せず）を通じて低温の飲料水と緩やかに混ざるようにされている。
【００２６】
そして、この冷水タンク２には、タンク２内の飲料水を外部に取り出すための冷水注出管（冷水注出配管）６が接続され、この冷水注出管６の先端に冷水注出弁７が設けられている。つまり、この冷水注出弁７を開くことによって冷水タンク２内の飲料水が外部に取り出し可能とされている。
【００２７】
ここで、冷水注出管６は、後述する温水タンク３から飲料水を取り出す温水注出管１０とその位置を揃えるのが望ましいことやタンク内の飲料水の排水性を良くする等の点を考慮して、本実施形態では、図２に示すように、冷水タンク２の底面２ｂに接続される。具体的には、冷水タンク２の底面２ｂに冷水注出管６を接続するための開口部２ｃを形成し、この開口部２ｃに連通するように上記冷水注出管６が接続されている。
【００２８】
この冷水注出管６は、図示のように、直線状の管路を有する管路本体６ａと、この管路本体６ａを上記開口部２ｃに接続するための曲折部６ｂとを備えて構成される。上記曲折部６ｂは、管路本体６ａと反対側の端部が上記開口部２ｃに接続されることにより、管路本体６ａが水平（または斜め下向き）となるように管路の向きを変える部材であって、本実施形態では、上記管路本体６ａとともにＳＵＳ等の金属で構成されている（なお、本実施形態では管路本体６ａは水平に配置されるので、この曲折部６ｂは管路を９０度曲げるように構成されている）。
【００２９】
そして、この曲折部６ｂの底部６ｃで上記開口部２ｃと対面する部位には、紫外線ランプ挿入管６１が起立状に設けられている。この紫外線ランプ挿入管６１は、紫外線ランプ８を挿入するための中空筒状の部材であって、該挿入管６１内に紫外線ランプ８を挿入した状態で該紫外線ランプ８から照射される紫外線が透過可能な透明又は半透明の容器として構成されている。
【００３０】
具体的には、この紫外線ランプ挿入管６１は、該紫外線ランプ挿入管６１内に紫外線ランプ８を装着した際に、紫外線ランプ８が上記管路本体６ａの管路内に紫外線を照射できるように、上記管路本体６ａの延び方向（具体的には水平）と直交するように配設されている。
【００３１】
そして、この紫外線ランプ挿入管６１の下端は上記冷水注出管６の下面に開口されて、この開口から該挿入管６１内に紫外線ランプ８の抜き差しが可能とされている。なお、図２に示す例では、紫外線ランプ挿入管６１の下端は上記冷水注出管６の曲折部６ｂの底部６ｃの外壁と面一となる場合を示しているが、図１に示すように、底部６ｃから突出するように構成することも可能である。要は、紫外線ランプ挿入管６１に紫外線ランプ８を装着した際に、該紫外線ランプ８において紫外線を照射する部位が少なくとも冷水注出管６の管路底面に達するように構成され、紫外線ランプ８から照射される紫外線が冷水注出管６の管路底部にも漏れなく照射されるように構成されていればよい。
【００３２】
一方、この紫外線ランプ挿入管６１の上端は封止され、少なくとも、図１に示すように上記バッフルプレート５に達するように構成されている。ここで、上端が上記バッフルプレート５に達するように構成されているのは、該紫外線ランプ挿入管６１内に挿入された紫外線ランプ８から照射される紫外線が、少なくともバッフルプレート５の下方のタンク内（冷水が貯留される部分）をくまなく照射できるようにするためである。したがって、紫外線ランプ挿入管６１の上端の位置を高くして、バッフルプレート５の上方も紫外線を照射できるようにすることも可能である。
【００３３】
一方、冷水注出弁７は、上述したとおり、冷水注出管６の管路本体６ａの先端に設けられるが、本発明では、この冷水注出弁７において上記管路本体６ａの先端を塞ぐ弁体として隔膜式の弁体（ダイヤフラム）７１が用いられている。
【００３４】
具体的には、この冷水注出弁７は、上記管路本体６ａの延長線上に沿って弁座７２が形成され、この弁座７２に当接可能にダイヤフラム７１が配置される。そして、このダイヤフラム７１の背部にプランジャ７３が設けられ、このプランジャ７３の前進によりダイヤフラム７１が上記管路本体６ａを閉止する一方、プランジャ７３の後退によって管路本体６ａの閉止状態が解除され、管路本体６ａ内の飲料水が注出口７ａに導入されるように構成されている。
【００３５】
換言すれば、本実施形態では、水平に配設された冷水注出管６に対して直交するように隔膜式の弁体を有する冷水注出弁７が横向きに配設され、これによって、ダイヤフラム７１が後述する紫外線ランプ８と対面するように構成されている。なお、このダイヤフラム７１はフッ素系の樹脂などの耐紫外線性の高い部材で構成され、（または、耐紫外線性を有するフッ素系の樹脂でコーティングされ）、少なくとも紫外線照射ランプ８と対面する部分が耐紫外線性を有するように構成される。
【００３６】
紫外線ランプ８は、冷水タンク２内および冷水注出管６の管内の飲料水の殺菌を目的として設けられるものであって、本実施形態では、上記紫外線ランプ挿入管６１に挿通可能な棒状の形態を有し、かつその周囲に放射状に紫外線の照射が可能なランプが用いられる。具体的には、このような紫外線ランプとして、いわゆる直管型のランプが好適に使用されるが、この他にも紫外線ランプ挿入管６１に挿通可能であれば、たとえばいわゆるＵ字管型の紫外線ランプを用いてもよい。なお、この紫外線ランプ８の点灯／消灯は上記制御部４によって制御される。
【００３７】
温水タンク３は、上記冷水タンク２の下方に配置された金属製のタンクで構成される。この温水タンク３には、タンク内の飲料水を加熱するための電気ヒータ（加熱手段）９が備えられている。この電気ヒータ９は、上記冷水タンク２の冷却装置と同様に、上記制御部４によって制御される。すなわち、制御部４は、温水タンク３内の飲料水の温度を測定する温度センサ（図示せず）から得られる温度検出信号に基づいて、温水タンク３内の飲料水が所定の設定温度となるように電気ヒータ９のオン／オフを制御している。
【００３８】
そして、この温水タンク３は、電気ヒータ９によって加熱昇温させた飲料水が自然放熱によって冷め難いように、その周囲を断熱材（図示せず）で被覆するなどの保温処理が施される。
【００３９】
また、この温水タンク３の上部（図示例では温水タンク３の上面）には、温水タンク３内の飲料水を外部に取り出すための温水注出管１０が接続されており、この温水注出管１０の先端には温水注出弁１１が設けられている。つまり、この温水注出弁１１を開くことによって温水タンク３内の飲料水が外部に取り出し可能とされている。
【００４０】
そして、このように構成された飲料水サーバにおいては、ウォーターボトル１から供給される飲料水は一旦温水タンク３に導入され、この温水タンク３内で加熱（熱殺菌）された後に冷水タンク２に供給されるように構成されている。
【００４１】
すなわち、上記冷水タンク２の凹陥部２ａに一端が臨んで配設された飲料水供給管１２は、その他端が、図示のように温水タンク３のタンク内（特にタンク内の底部付近）に導入されるように配置され、この飲料水供給管１２を通じて温水タンク３がウォーターボトル１から飲料水の供給を受けるように構成されている。そして、冷水タンク２内の飲料水が冷水注出管６から注出され、あるいは、下流側に飲料水が存在しないこと（飲料水サーバの設置時のようにタンク２，３が空の状態）によって、ウォーターボトル１の飲料水が飲料水供給管１２を通じて自然落下して温水タンク３内へ流入し、温水タンク３内の飲料水が第２の飲料水供給管１３を通じて冷水タンク２内に供給される。なお、第２の飲料水供給管１３は、その一端が温水タンク３の上部に接続され、その他端が上記冷水タンク２内のバッフルプレート５の上面に臨んで配置されており、第２の飲料水供給管１３を通じて冷水タンク２のバッフルプレート５の上面に導入される飲料水は、バッフルプレート５の貫通孔（図示せず）を通じて冷水タンク２内に供給される。
【００４２】
制御部４は、飲料水サーバの各部を制御するための制御装置であって、図示しないマイクロコンピュータを備えて構成される。このマイクロコンピュータには、上記冷却装置及び電気ヒータ９を制御することによって冷水タンク２及び温水タンク３内の飲料水を所定の設定温度に維持する制御を実行するためのプログラムが備えられている。
【００４３】
しかして、このような構成を備えた飲料水サーバにおける冷水タンク２及び冷水注出管６内の殺菌について以下に詳しく説明する。
【００４４】
すなわち、本実施形態に示す飲料水サーバにおいては、上述したように、冷水タンク２及び冷水注出管６内の殺菌を目的として紫外線ランプ８が備えられている。この紫外線ランプ８は常時または適時（たとえば制御手段４の制御によって定期的に）点灯されるものであって、この紫外線ランプ８を点灯させることによって冷水タンク２及び冷水注出管６内の殺菌が行われる。
【００４５】
具体的には、本実施形態では、上記紫外線ランプ挿入管６１に挿入された棒状の紫外線ランプ８は、冷水タンク２の底面２ｂからバッフルプレート５に至るまでの管を貫くように配設され、かつ、この紫外線ランプ８はその周囲に放射状に紫外線を照射するので、冷水タンク２（特にバッフルプレート５の下方のタンク）内はくまなくこの紫外線ランプ８によって紫外線を照射される。これによって冷水タンク２内に対して殺菌が行われる。
【００４６】
一方、冷水注出管６については、紫外線ランプ８の下端側が上記冷水タンク２の開口部２ｃを貫いて冷水注出管６の管路底面に達するように配設され、しかも、この紫外線ランプ８と直交する方向に配設される上記管路本体６ａは直線状の管路を有していることから、紫外線ランプ８から照射される紫外線は管路本体６ａおよび曲折部６ｂの内面（管路）にもくまなく照射される。しかも、本実施形態では、上記管路本体６ａの先端を塞ぐ弁体としてダイヤフラム７１が用いられていることから、このダイヤフラム７１の背部に水が滞留することがなく、その上、管路本体６ａの管路内には紫外線の当たらない死角が生じないので、冷水注出管６内の殺菌を確実に行なうことができる。
【００４７】
実施形態２
次に、本発明の第２の実施形態について図３に基づいて説明する。この第２の実施形態は、上記第１の実施形態において横向きに配設されていた冷水注出弁７を縦向きに配設したものであり、これに伴って管路本体６ａの先端が上向きに曲折されている点で上記第１の実施形態と相違する。しかし、その他の構成は上記第１の実施形態と共通するので、構成が共通する部分には同一の符号を付して説明を省略する。
【００４８】
すなわち、この場合、管路本体６ａの先端が上向きに９０度曲折されて弁座７２が形成され、この弁座７２に当接可能にダイヤフラム７１が配置される。冷水注出弁７をこのように構成した場合、図３に示すように、管路本体６ａの先端部分（曲折された空間）７４には上記紫外線ランプ８の死角ができることから、上述した第１の実施形態の場合に比べて好ましくはないが、従来品に比べると弁体の背部に水が滞留しないという利点がある。
【００４９】
出願人はこのような前提の下に図３に係る構成について実験を行ったところ、上記管路本体６ａの管径が直径６ｍｍの場合、上記弁座７２の高さＬが１．５ｍｍ以下であれば一般細菌１００cfu／ml以下（水道における水質基準）を達成できることが判明した。そして、弁座７２の高さＬを０．５ｍｍ以下に設定すれば、紫外線の死角が少なくなり紫外線による殺菌効果を得ることができるとの知見を得るに至った。
【００５０】
したがって、本発明は弁座７２の高さＬにつき上記の数値限定を付すことにより、冷水注出弁７を縦向きに配設した場合でも横向きの場合と同様の十分な効果を得ることができる。
【００５１】
なお、上述した実施形態はあくまでも本発明の好適な実施態様を示すものであって、本発明はこれらに限定されることなくその範囲内で種々の設計変更が可能である。  
【００５２】
たとえば、上述した実施形態では、冷水注出管６が冷水タンク２の底面に接続される場合を示したが、冷水注出管６は冷水タンク２の側面に設けられていてもよい。すなわち、この場合、上記開口部２ｃは冷水タンク２の側面に設けられる。それに伴って、上記冷水注出管６は曲折部６ｂを有さずに直線状の管路本体６ａのみで構成され、当該管路本体６ａが冷水タンク２の側面に水平（又は斜め下向き）に接続される。そして、上記紫外線ランプ８をこの開口部２ｃに臨んで配置（つまり、紫外線ランプ８から照射される紫外線が管路本体６ａ内に照射されるように配置）することで、１の紫外線ランプ８によって冷水タンク２内および冷水注出管６の双方の殺菌を行うことができる。
【００５３】
また、上述した実施形態では温水タンク３内では電気ヒータ９を利用して熱殺菌のみを行う場合を示したが、たとえば、温水タンク３に別途冷却手段を設けてタンク内の温度を急速に下げることができるように構成しておき、制御部４によりこの冷却手段による冷却と上記電気ヒータ９による加熱とを交互に行なわせて温水タンク３内を間欠殺菌するように構成することも可能である。このように間欠殺菌を行うことにより、熱殺菌だけでは死滅しない芽胞菌等についても短時間で確実に殺菌することができる。
【００５４】
また、上述した実施形態では、飲料水サーバが冷水タンク２と温水タンク３の双方を備える場合について説明したが、本発明は冷水タンクのみで構成される飲料水サーバにも適用可能である。
【図面の簡単な説明】
【００５５】
【図１】本発明に係る飲料水サーバの一例を示す概略構成図である。
【図２】同飲料水サーバにおける冷水タンクと冷水注出管との接続状態を示す部分拡大図である。
【図３】同飲料水サーバにおいて冷水注出弁の配置を変更した実施形態を示す説明図である。
【図４】従来の飲料水サーバの概略構成を示す説明図である。
【図５】従来の飲料水サーバにおける冷水注出弁の概略構成を示す説明図である。
【符号の説明】
【００５６】
１              ウォーターボトル
２              冷水タンク
３              温水タンク
４              制御部（制御手段）
５              バッフルプレート
６              冷水注出管
６ａ            管路本体
６ｂ            曲折部
７              冷水注出弁
７１            ダイヤフラム（隔膜式の弁体）
８              紫外線ランプ（紫外線照射手段）
９              電気ヒータ（加熱手段）
１０            温水注出管
１１            温水注出弁
１２            飲料水供給管
１３            第２の飲料水供給管
【図１】
0005163037.tif 000002
【図２】
0005163037.tif 000003
【図３】
0005163037.tif 000004
【図４】
0005163037.tif 000005
【図５】
0005163037.tif 000006